(57)【要約】【課題】固定用の凹溝に溝カバーを嵌着したデッキ材において、該凹溝と溝カバーとの間から雨水が該凹溝内に流れ込んでも、その雨水が釘やビス等の止着部材に接触してそれらを腐食させるのを抑制する。【解決手段】長尺の表板１とその下方に長手方向に沿って設けた複数の脚板２及び底板３とを有し、表板はその長手方向に沿う一部の隣接脚板間を欠除させて、固定用底板４を有する凹溝５を形成し、その固定用底板４に釘やビスからなる止着部材９の止着位置を示す表示溝７を設け、凹溝５に嵌着する溝カバー１３を備える。凹溝５内には、固定用底板４における表示溝７の両側に、長手方向に沿う一対の流路板１０を立設して、雨水流路１１を区画し、凹溝内に流下した雨水が流路板１０をこえて止着部材に接触するのを抑止する。【選択図】図１
2010013891.tif 000002
【特許請求の範囲】
【請求項１】
長尺の表板とその下方に長手方向に沿って設けた複数の脚板と、該各脚板の下端を少なくとも一つの隣接する脚板と連結する底板とを有し、上記表板は、その長手方向に沿う一部の隣接脚板間を欠除させて固定用底板を有する凹溝を形成し、該凹溝内の固定用底板の中央に止着部材の止着位置を示す長手方向の表示溝を設け、上記凹溝に溝カバーを嵌着した合成樹脂製デッキ材において、
上記凹溝内の固定用底板における表示溝の両側に、長手方向に沿う一対の流路板を、該固定用底板と一体に立設した、
ことを特徴とする合成樹脂製デッキ材。
【請求項２】
上記溝カバーが、表面板と一対の係止脚板とを一体にして形成され、両係止脚板が、その先端部の外側に、上記凹溝の両側壁を構成する脚板に設けた係合凹部に係合する鈎部を備えている、
ことを特徴とする請求項１に記載の合成樹脂製デッキ材。
【請求項３】
上記一対の係止脚板の中間部分を結ぶ接続板を該係止脚板と一体に形成し、上記流路板に上記接続板の下面に接する高さを持たせた、
ことを特徴とする請求項２に記載の合成樹脂製デッキ材。
【請求項４】
上記流路板に、溝カバーの表面板の下面に接する高さを持たせた、
ことを特徴とする請求項２に記載の合成樹脂製デッキ材。
【請求項５】
上記流路板の先端と該先端が接する接続板または表面板との間に、それらの間の止水をする軟質止水材を設けた、
ことを特徴とする請求項３または４に記載の合成樹脂製デッキ材。
【請求項６】
表板の長手方向に沿う一側端部から延設した被板を該表板の側方に突出させ、表板の他側端部に、隣接するデッキ材間からの流水を受ける受け溝を設け、上記被板を、該受け溝を覆った状態で幅方向に位置調節自在に形成し、隣接するデッキ材を連接可能にした、
ことを特徴とする請求項１〜５のいずれかに記載の合成樹脂製デッキ材。
【発明の詳細な説明】
【技術分野】
【０００１】
本発明は、その多数を幅及び長さ方向に順次連結して敷き詰めたデッキを構成する場合などに、その上面から雨水が下方に漏れ落ちるのを抑止するようにした合成樹脂製デッキ材に関するものである。
【背景技術】
【０００２】
特許文献１等により、長尺の表板とその下方に長手方向に沿って設けた複数の脚板と、該各脚板の下端を連結する底板とを有し、上記表板の長手方向に沿う一部を欠除させて固定用底板を有する凹溝を形成し、該凹溝の固定用底板の中央に止着部材の止着位置を示す長手方向の表示溝を設け、上記凹溝に溝カバーを嵌着した合成樹脂製デッキ材は、従来から知られている。上記デッキ材は、その中央部の凹溝の固定用底板に釘やビス等の止着部材のための表示溝を設け、この表示溝に沿う位置で止着部材を床枠に止着するが、該凹溝と溝カバーとの間から雨水が該凹溝内に流れ込み、その雨水が止着部材に接触して、該止着部材を腐食させるばかりでなく、それが進行すると腐食した止着部材の孔から雨水が下方に漏れ落ちるという問題点がある。
【特許文献１】実開昭５９−１２０６９３号公報
【発明の開示】
【発明が解決しようとする課題】
【０００３】
本発明の技術的課題は、固定用の凹溝に溝カバーを嵌着した合成樹脂製デッキ材において、該凹溝と溝カバーとの間から雨水が該凹溝内に流れ込んでも、その雨水が釘やビス等の止着部材に接触して、該止着部材を腐食させるのを抑制することにある。
【課題を解決するための手段】
【０００４】
上記課題を解決するため、本発明は、長尺の表板とその下方に長手方向に沿って設けた複数の脚板と、該各脚板の下端を少なくとも一つの隣接する脚板と連結する底板とを有し、上記表板は、その長手方向に沿う一部の隣接脚板間を欠除させて固定用底板を有する凹溝を形成し、該凹溝内の固定用底板の中央に止着部材の止着位置を示す長手方向の表示溝を設け、上記凹溝に溝カバーを嵌着した合成樹脂製デッキ材において、上記凹溝内の固定用底板における表示溝の両側に、長手方向に沿う一対の流路板を、該固定用底板と一体に立設したことを特徴とするものである。
【０００５】
本発明に係る合成樹脂製デッキ材の好ましい実施形態においては、上記溝カバーが、表面板と一対の係止脚板とを一体にして形成され、両係止脚板が、その先端部の外側に、上記凹溝の両側壁を構成する脚板に設けた係合凹部に係合する鈎部を備えたものとして構成される。その場合に、上記一対の係止脚板の中間部分を結ぶ接続板を該係止脚板と一体に形成し、上記流路板に上記接続板の下面に接する高さを持たせたものとして構成することができる。また、上記接続板を設けることなく、上記流路板に、溝カバーの表面板の下面に接する高さを持たせておくこともできる。更に、上記流路板の先端を接続板または表面板の下面と接触させる場合には、それらの間に止水のための軟質止水材を設けることができる。
【０００６】
本発明に係る合成樹脂製デッキ材を上記のように構成することにより、上記溝カバーの両側から凹溝に雨水が流れ込んでも、上記流路板の存在によりその雨水が釘やビス等の止着部材に接触することがなく、該止着部材を腐食させるのを効果的に抑制することが可能になる。更に、上記流路板の先端を接続板または表面板と接触するところまで高くし、必要に応じてその先端に止水のための軟質止水材を設けることにより、デッキ上に多量の水を流すことがあっても、それらを凹溝内における流路板と脚板との間の雨水流路を通してデッキ材の長手方向に導くことができる。
【０００７】
また、本発明に係る合成樹脂製デッキ材の好ましい実施形態においては、表板の長手方向に沿う一側端部から延設した被板を該表板の側方に突出させ、表板の他側端部に、隣接するデッキ材間からの流水を受ける受け溝を設け、上記被板を、該受け溝を覆った状態で幅方向に位置調節自在に形成し、隣接するデッキ材を連接可能に構成される。
【発明の効果】
【０００８】
上述した本発明の合成樹脂製デッキ材によれば、固定用の凹溝に溝カバーを嵌着した合成樹脂製デッキ材において、該凹溝と溝カバーとの間から雨水が該凹溝内に流れ込んでも、その雨水が固定用の釘やビス等の止着部材に接触して、該止着部材を腐食させるのを抑制することができる。
【発明を実施するための最良の形態】
【０００９】
図１は本発明に係る合成樹脂製デッキ材の第１実施例を示している。
このデッキ材は、概略的には、長尺の表板１と、その下方に長手方向に沿って垂設した複数の脚板２と、該各脚板２の下端を少なくとも一つの隣接する脚板と連結する底板３とが、合成樹脂により一体に形成されたもので、上記複数の脚板２によって表板１と底板３の間に複数の角筒状区画が形成されている。各脚板２に強度を与えるため、各脚板２は、その下端を少なくとも一つの隣接する脚板２と底板３で連結することにより上記角筒状区画を形成するが、脚板２の両側にそれぞれ他の脚板２がある場合に、それらの両脚板２とそれぞれ底板３で連結してもよい。
【００１０】
上記表板１は、その長手方向に沿う一部の隣接脚板２，２間を欠除させて、厚肉の固定用底板４を有する凹溝５を形成している。この凹溝５は、側面が上記脚板２，２により区画され、上面が開放したもので、固定用底板４の幅方向の略中央に、デッキ材を床枠に固定するための釘またはビスなどの止着部材９の止着位置を示す長手方向の表示溝７を設けている。この固定用底板４は、デッキ材を床枠に固定する部位であることから、上記底板３よりも厚肉にして強度を保持させているが、少なくとも床枠への固定に供する上記表示溝７を設けた部分の下面は、他の底板３と面一になるように形成している。
なお、図示の実施例では、上記凹溝５を表板１の長手方向に沿う略中央部に設けているが、該凹溝５の位置は表板１の中央部である必要はなく、任意位置に設けることができ、例えば、表板１の両側部に近い２カ所に設けることもできる。
【００１１】
上記凹溝５内の固定用底板４における表示溝７の両側には、長手方向に沿う一対の流路板１０を、該固定用底板４と一体のものとして該底板４に垂直に立設し、この一対の流路板１０とその両側の側板２との間に、凹溝５内に流入した雨水等をデッキ材の長手方向に導く雨水流路１１を形成している。上記流路板１０は、一般的には表示溝７と凹溝５の両脚板２との間の中間位置付近に設けることにより、上記雨水流路１１に必要な流路断面積が付与され、また、表示溝７の両側には釘やビス等の止着部材９によるデッキ材の固定作業のために必要な空間が付与される。
【００１２】
一対の流路板１０の高さは、上記凹溝５に被着する溝カバー１３との関連で、凹溝５の深さの半分かそれよりも若干高いものとするのが望ましいが、デッキ上に多量の水が流れる可能性がある場合には、後述する第２及び第３実施例のように、凹溝５内における雨水流路１１の断面積を拡大したり、軟質止水材の付設により雨水流路１１から流路板１０を越えて溢水するのを抑止することができる。
このような流路板１０を設けることにより、溝カバー１３の両側から上記凹溝５内の雨水流路１１に雨水等が流れ込んでも、その雨水等が釘やビス等の止着部材９に接触して、該止着部材９を腐食させるのを抑制することができる。
【００１３】
上記デッキ材の凹溝５には合成樹脂製の溝カバー１３を嵌着するが、この溝カバー１３は、表面が表板１と面一になる表面板１４とそれを凹溝５に嵌着係止させるための一対の係止脚板１５とが一体に形成されたものである。上記係止脚板１５は、表面板１４の長手方向に沿って設けられ、該表面板１４の両側部裏面から凹溝５の下端部両側端付近に向かって延びるもので、両係止脚板１５の先端部の外側に、上記凹溝５の両側壁を構成する脚板２，２に設けた係合凹部２ａに係合する鈎部１５ａを備えたものとして構成している。また、上記一対の係止脚板１５の中間部分を結ぶ接続板１６を該係止脚板１５と一体に形成し、上記接続板１６の下面を上記一対の流路板１０の頂部に接触させるように構成している。
【００１４】
上記溝カバー１３は、係止脚板１５の先端部の外側に設けた鈎部１５ａを上記凹溝５の両側壁を構成する脚板２，２の係合凹部２ａに係合させることにより凹溝５に装着しているが、この係合部分は雨水の流通を妨げないような態様で係合させるものではない。しかしながら、上記係合部分の雨水の流通が不十分であれば、係止脚板１５の下部に適宜間隔で切欠きを設けるなどの手段により、係止脚板１５の両面間の雨水の流通を改善することができる。
【００１５】
上記デッキ材は、表板１の長手方向に沿う一側端部から該表板１の延長部分としての被板２０を延設して、それを該表板１の側方に突出させ、また、他側端部における表板１には、隣接するデッキ材の上記被板２０をデッキ材の幅方向に位置調節自在に載置するための、上記被板２０の肉厚だけ表板１の表面より低下させた凹段部２２を形設し、その外端側に、隣接するデッキ材間からの流水を受ける受け溝２３を設け、上記被板２０が該受け溝２３を覆って上記凹段部２２に載置された状態で、デッキ材を幅方向に位置調節自在に連接できるようにしている。
【００１６】
更に具体的に説明すると、上記デッキ材における凹段部２２の外端側に設けた受け溝２３は、該凹段部２２の外端側の脚板２の下端から底板３を延長させて形成した溝底板２４と、該溝底板２４の外端に連設した立上り板２５とにより形成され、一方、デッキ材の上記被板２０の下面には、該受け溝２３内に嵌まり込む当接板２１を突設している。この当接板２１は、隣接するデッキ材間の距離を広げる方向に位置調節する場合には、図中に実線で示すように、それが上記立上り板２５に当接する位置を調節限度とするストッパになり、逆に、デッキ材間の距離を狭める方向に位置調節する場合には、図中に鎖線で示すように、それが上記凹段部２２の端部の脚板２に当接する位置を調節限度とするストッパになるものである。
なお、図中、２７は各デッキ材の表板１等の表面に一体的に列設した軟質材からなる滑り止め用突条を示しているが、この滑り止め用突条２７は、表板１等を構成する合成樹脂によって形成することもできる。
【００１７】
上記構成を有するデッキ材は、その多数を床枠等の下地材の上に敷き詰めるに際し、先に敷設したデッキ材における上記受け溝２３に、被板２０の下面に設けた当接板２１を嵌入させて、敷設済みデッキ材の凹段部２２上に被板２０を載置し、これを繰り返すことにより、デッキ材を敷設範囲に順次敷き詰めたうえで、それらの適切な位置決めを行い、しかる後に、各デッキ材の凹溝５内における固定用底板４の表示溝７を通して止着部材９によりデッキ材を床枠に止着し、その後、凹溝５に溝カバー１３を嵌着し、係止脚板１５の先端の鈎部１５ａを脚板２，２に設けた係合凹部２ａに係合させ、溝カバー１３を凹溝５に嵌着することにより、デッキ材の敷設を完了するものである。
【００１８】
敷設したデッキ材上に雨水等が掛かったときには、その雨水等が凹溝５の両側の脚板２の上端と溝カバー１３との間の間隙を通して凹溝５に流れ込んでも、それが凹溝５の両側の脚板２に沿って雨水流路１１内に流下し、そして、該雨水流路１１は、釘やビス等の止着部材９でデッキ材を固定する表示溝７の部分とは流路板１０によって区画されているので、雨水等が表示溝７側に流入することはなく、雨水流路１１内をデッキ材の長手方向に流れてそこから流下し、雨水等が上記止着部材９に接触することはなく、雨水等による止着部材９の腐食を効果的に抑制することができる。なお、受け溝２３に流入した雨水もデッキ材の長手方向に流れてそこから流下することになる。
【００１９】
この第１実施例においては、上記流路板１０に、一対の係止脚板１５の中間部分を結ぶ接続板１６の下面に接する高さを持たせ、雨水が雨水流路１１側から流路板１０を乗り越えて釘やビスなどの止着部材９側に流入するのを抑制しているが、上記雨水が流路板１０を乗り越えるのを更に効果的に抑制するためには、図２及び図３に示す第２実施例のように、上記接続板１６の下面に接する高さを持った上記流路板１０の先端に、接続板１６との間の止水を行う軟質止水材１０ａを一体成形により付設したものとするのが望ましく、それにより、多量の雨水が雨水流路１１に流入しても、それが表示溝７側に流入するのを抑制する止水を行うことができ、雨水等が止着部材９に接触するのを効果的に抑止することができる。
なお、上記軟質止水材１０ａは、流路板１０の先端に圧接するものとして接続板１６側に設けることもできる。
【００２０】
また、図４に示す第３実施例では、雨水流路１１の断面積を一層拡大するために、上記第１及び第２実施例における接続板１６を設けることなく、上記流路板１０に溝カバー１３の表面板１４の下面に接する高さを持たせている。そして、上記流路板１０の先端には、表面板１４との間の止水をする軟質止水材１０ｂを一体成形により付設しているが、この軟質止水材１０ｂは、流路板１０の先端に圧接するものとして表面板１４側に設けることもできる。
【００２１】
上述した第２及び第３実施例における上記以外の構成及び作用は、前述した第１実施例の場合と実質的に変わるところがないので、図中の同一または対応部分に第１実施例の場合と同一の符号を付して、それらの説明を省略する。
【図面の簡単な説明】
【００２２】
【図１】本発明に係る合成樹脂製デッキ材の第１実施例を示す断面図である。
【図２】同第２実施例の要部断面図である。
【図３】上記第２実施例の溝カバーの未装着状態を示す要部断面図である。
【図４】本発明に係る合成樹脂製デッキ材の第３実施例の要部断面図である
【符号の説明】
【００２３】
１      表板
２      脚板
２ａ    係合凹部
３      底板
４      固定用底板
５      凹溝
７      表示溝
９      止着部材
１０      流路板
１０ａ，１０ｂ    軟質止水材
１３      溝カバー
１５      係止脚板
１５ａ    鈎部
１６      接続板
２０      被板
２３      受け溝
【図１】
2010013891.tif 000003
【図２】
2010013891.tif 000004
【図３】
2010013891.tif 000005
【図４】
2010013891.tif 000006